(57)【要約】      （修正有）【課題】患者を寝臥させるためのアッセンブリを改良して、時間的に僅かな手間で簡単になった患者準備を可能にするアッセンブリを提供する。【解決手段】局所コイルが、少なくとも部分的に固定ベルトに組込み配置されているようにした。患者を寝臥させるためのアッセンブリは、患者を寝臥させるためのアッセンブリであって、実施したい磁気共鳴診断のために患者を収容するための寝台と、磁気共鳴診断のための少なくとも１つの局所コイルと、該局所コイルを患者の上で位置固定するために形成されている固定ベルトとが設けられている形式のものにおいて、局所コイルが、少なくとも部分的に固定ベルトに組込み配置されていることを特徴とする。アッセンブリは、有利には、固定ベルト内に組込み配置された局所コイルが、導電結合により寝台の電子装置に結合されているか、または容量結合によりまたは誘導結合により寝台の電子装置に結合されている。【選択図】図２
2009011836.tif 000002
【特許請求の範囲】
【請求項１】
磁気共鳴装置において患者を寝臥させるためのアッセンブリであって、
−実施したい磁気共鳴診断のために患者（Ｐ）を収容するための寝台（ＬＢ）と、磁気共鳴診断のための少なくとも１つの局所コイル（ＬＳ）と、該局所コイル（ＬＳ）を患者（Ｐ）の上で位置固定するために形成されている固定ベルト（ＢＧ）とが設けられている形式のものにおいて、
−局所コイル（ＬＳ）が、少なくとも部分的に固定ベルト（ＢＧ）に組込み配置されていることを特徴とする、患者を寝臥させるためのアッセンブリ。
【請求項２】
局所コイルの運転のために必要な局所コイル電子装置が、完全に寝台に組込み配置されている、請求項１記載のアッセンブリ。
【請求項３】
局所コイル電子装置が、局所コイルの適合および／または局所コイルの離調、局所コイルの信号の前置増幅のための回路を有している、請求項２記載のアッセンブリ。
【請求項４】
固定ベルト内に組込み配置された局所コイルが、導電結合により寝台の電子装置に結合されているか、または容量結合によりまたは誘導結合により寝台の電子装置に結合されている、請求項２または３記載のアッセンブリ。
【請求項５】
複数の局所コイルにおいて、該複数の局所コイルの各結合部が同様に形成されている、請求項４記載のアッセンブリ。
【請求項６】
診断に必要でない局所コイルが離調されている、請求項３記載のアッセンブリ。
【請求項７】
固定ベルトに組み込まれた局所コイルが、同じ幅を有している、請求項１から６までのいずれか一項記載のアッセンブリ。
【請求項８】
内部に組込み配置された局所コイルを備えた固定ベルトが、フレキシブルで曲げ易く形成されている、請求項１から７までのいずれか一項記載のアッセンブリ。
【請求項９】
固定ベルトが、寝台に機械的および／または電気的に結合されている、請求項１記載のアッセンブリ。
【請求項１０】
固定ベルトが、寝台の側方で機械的および／または電気的に差し込まれている、請求項９記載のアッセンブリ。
【請求項１１】
組み込まれた局所コイルを備えた固定ベルトが、寝台に患者を位置固定するためにも形成されている、請求項１記載のアッセンブリ。
【請求項１２】
組み込まれた局所コイルを備えた固定ベルトが、患者身体への局所コイルの適合を可能にするために少なくとも部分的にオーバーラップするように形成されている、請求項１記載のアッセンブリ。
【請求項１３】
固定ベルトが、局所コイルの適合のためにおよび／または寝台に患者を位置固定するために面ファスナを有している、請求項１０から１２までのいずれか一項記載のアッセンブリ。
【請求項１４】
局所コイルエレメントの分離のために、予め規定された構造が面ファスナに設けられており、前記構造が、固定ベルトを漸進的に緩めるかまたは固定するために形成されている、請求項１３記載のアッセンブリ。
【請求項１５】
面ファスナにおける予め規定された構造が、係止体の形状で形成されている、請求項１４記載のアッセンブリ。
【請求項１６】
局所コイルが上側コイルとして形成されている、請求項１から１５までのいずれか一項記載のアッセンブリ。
【請求項１７】
固定ベルト内に配置された局所コイルを備えた寝台が、磁気共鳴装置に分離可能に結合されている、請求項１から１６までのいずれか一項記載のアッセンブリ。
【請求項１８】
患者の特定の身体領域において、固定ベルトが自己支持性で剛性に形成された局所コイルと交換可能である、請求項１から１７までのいずれか一項記載のアッセンブリ。
【発明の詳細な説明】
【技術分野】
【０００１】
本発明は、磁気共鳴装置において患者を寝臥させるためのアッセンブリであって、実施したい磁気共鳴診断のために患者を収容するための寝台と、磁気共鳴診断のための少なくとも１つの局所コイルと、該局所コイルを患者の上で位置固定するために形成されている固定ベルトとが設けられている形式のものに関する。
【背景技術】
【０００２】
磁気共鳴診断時に、患者を診断するために必要な局所コイルが、ベルトによって患者の身体に取り付けられる。この場合、いわゆる「下側コイル」はたいてい寝台に載せられる。下側コイルは患者の体重を収容するために形成された剛性なケーシングを有している。いわゆる「上側コイル」は患者の上に置かれ、同様に固定ベルトによって患者の身体と寝台とに位置固定される。
【０００３】
局所コイルにケーブルが設けられている。このケーブルは磁気共鳴装置に差込み結合部を介して電気的に結合されている。ケーブルに配置されたコイルコネクタに対応するコネクタ収容部は通常、寝台に設けられている。
【０００４】
診断する患者は別のベルトで場合によっては寝台に位置固定することもでき、これによって磁気共鳴診断を実施することができる。
【０００５】
この手段は、目下公知の磁気共鳴装置においては極めて時間がかかるだけであり、複数の操作ステップを考慮して実施可能である。
【０００６】
磁気共鳴診断の準備に必要な時間は数分にのぼり、従って、実際のＭＲ診断に必要な時間に対して無視することはできない。
【０００７】
ＭＲ診断の準備のための記載の手段は磁気共鳴装置において直に行われるので、可能なＭＲ測定の全回数は時間的に見て集中的な準備時間により極めて制限されてしまう。
【発明の開示】
【発明が解決しようとする課題】
【０００８】
従って、本発明の課題は、冒頭で述べた形式の、磁気共鳴装置において患者を寝臥させるためのアッセンブリを改良して、時間的に僅かな手間で簡略化された患者準備を可能にするアッセンブリを提供することである。
【課題を解決するための手段】
【０００９】
この課題を解決するための本発明の構成では、局所コイルが少なくとも部分的に固定ベルトに組込み配置されているようにした。有利な改良形が従属請求項に記載されている。
【発明の効果】
【００１０】
磁気共鳴装置において患者を寝臥させるための本発明によるアッセンブリにおいては、実施したい磁気共鳴診断のために患者を収容するための寝台と、磁気共鳴診断のための少なくとも１つの局所コイルと、少なくとも１つの固定ベルトとが使用される。この場合、固定ベルトは局所コイルを患者の上に位置固定するために形成されている。局所コイルは少なくとも部分的に固定ベルトに統合もしくは組込み配置されている。
【００１１】
本発明によるアッセンブリにより、各測定のために局所コイルと固定ベルトとを互いに分離して交換もしくは取り付ける必要性は排除される。
【００１２】
従って、各局所コイルを常に接続もしくは切断しなければならないという必要性も排除される。
【００１３】
本発明によるアッセンブリにより可能にされる取扱いにおける簡略化により、時間単位ごとにより多くの患者を診断することができ、磁気共鳴装置および必要なＭＲ構成要素の確実性と使用可能性とは高められる。
【００１４】
有利な改良形では、局所コイルの電気的な接続部もしくは結合部は、固定ベルトの機械的な結合部もしくは接続部に組込み配置されている。
【００１５】
別の有利な改良形では、寝台は本発明による固定ベルトシステムによって患者に適合可能である。固定ベルトに組み込まれた局所コイルが、有利には、寝台の側方のエッジにおいて寝台と電気的に結合される。
【００１６】
この場合、既述したように寝台と固定ベルトとの機械的な結合は、側方のエッジにおいて行われ、有利には組み込まれた電気機械的な結合部を介して行われる。
【００１７】
この事例では使用される局所コイルは標準化された長さを有していて、以下の図１の説明において記載されるように、オーバーラップにより患者の身体に適合される。このオーバーラップもしくは局所コイルの標準化された長さにより、全身体もしくは診断したい解剖学的な部分領域のイメージ化のために幾つかの僅かな局所コイルを使用することができる。標準化により局所コイルの廉価な製造が可能になる。
【００１８】
さらに別の有利な改良形では、本発明による固定ベルトシステムを備えた寝台が磁気共鳴装置に分離可能に結合されている。
【００１９】
これにより寝台の迅速な交換が可能になる。たとえば最初の患者が第１の寝台を使用して磁気共鳴診断を受けている一方で、第２の患者は第２の寝台を使用して準備室で診断に備えている。緊急状況時でも迅速な診断と患者転送とは、患者に対応配置された寝台と一緒に行うことができる。
【００２０】
さらに別の有利な改良形では、局所コイルの運転に必要な局所コイル電子装置が完全に寝台に組み込まれている。局所コイル電子装置は、たとえば監視される局所コイルの適合および局所コイルの離調、局所コイルの信号の前置増幅のための、たとえば回路を有している。
【００２１】
固定ベルトに組み込まれた局所コイルは、有利には寝台の電子装置に導電結合により結合されているか、または容量結合または誘導結合を介して寝台の電子装置に結合されている。この場合、有利には、複数の局所コイルのための結合部は同様に形成されていて、これによって廉価な製造が可能になる。
【００２２】
さらに別の有利な改良形では、診断に必要ない局所コイルは離調される。
【００２３】
さらに別の有利な改良形では、局所コイルはそれぞれ同じ幅を有している。これによって局所コイルは単にその各長さにおいてのみ異なっている。従って、廉価な製造が可能になる。
【００２４】
さらに別の有利な改良形では、内部に局所コイル、特に上側コイルが組み込まれている固定ベルトは、フレキシブルに且つ曲げ易く形成されていて、これによって複数の患者の身体に局所コイルを最適に適合させることが可能になる。
【００２５】
寝台での局所コイル電子装置の前記配置により、上側コイルのフレキシブルで曲げ易くソフトな構成は付加的に軽減される。従って、固定システムと診断システムとの操作性も患者にとっての快適性も向上する。
【００２６】
さらに別の有利な改良形では、固定ベルトは寝台の一部分を形成し、その結果、固定ベルトに組み込まれた局所コイルを患者に応じて交換する必要はない。
【００２７】
さらに別の有利な改良形は、組み込まれた局所コイルを備えた固定ベルトは、同時に患者を寝台に位置固定するためにも形成されている。
【００２８】
さらに別の有利な改良形では、組み込まれた上側コイルを備えた固定ベルトが有利にはオーバーラップ式に形成されていて、これによってたとえば面ファスナにより各患者身体に固定ベルトを適合することができる。
【００２９】
オーバーラップする局所コイルはその強力な結合を介して、高いノイズ相関を有しているので、局所コイルのオーバーラップは磁気共鳴システムによって認識され、考慮され得る。
【００３０】
固定ベルトの部分的な側方のオーバーラップにより、個別の身体形状への精密な適合が可能である。
【００３１】
頭部領域では、付加的にフレキシブルに形成され、固定ベルトに組み込まれた局所コイルを、有利には自己支持性で剛性に形成された局所コイルと交換することができる。
【００３２】
さらに別の有利な改良形では、組み込まれた上側コイルを有する固定ベルトは寝台の側方で差し込まれていて、たとえば患者の上で面ファスナにより結合することができる。
【００３３】
固定ベルト内に組み込まれた局所コイルもしくは局所コイルエレメントの部分的なオーバーラップ式のアッセンブリにより、局所コイルエレメントからの幾何学的もしくは磁気的な分離が可能になる。
【００３４】
付加的に局所コイルエレメントの電気的な分離が行われる。
【００３５】
局所コイルエレメントからの分離の影響は、面ファスナにおける予め規定された構造により可能である。前記構造は固定ベルトを漸進的に緩めるかまたは固定することができるように形成されている。従って、ベルト対偶の局所コイルエレメントの可能なオーバーラップは別個のステップにおいて、コイルエレメントの最適で磁気的な分離が個々のベルト対偶において形成されるように変えられる。
【００３６】
たとえば面ファスナの簡単な係止機構により再現可能な機械的で電気的な連結が達成される。
【００３７】
本発明に係る患者を寝臥させるためのアッセンブリは、磁気共鳴装置において患者を寝臥させるためのアッセンブリであって、実施したい磁気共鳴診断のために患者を収容するための寝台と、磁気共鳴診断のための少なくとも１つの局所コイルと、該局所コイルを患者の上で位置固定するために形成されている固定ベルトとが設けられている形式のものにおいて、局所コイルが、少なくとも部分的に固定ベルトに組込み配置されていることを特徴とする。
【００３８】
本発明に係るアッセンブリは、有利には、局所コイルの運転のために必要な局所コイル電子装置が、完全に寝台に組込み配置されている。
【００３９】
本発明に係るアッセンブリは、有利には、局所コイル電子装置が、局所コイルの適合および／または局所コイルの離調、局所コイルの信号の前置増幅のための回路を有している。
【００４０】
本発明に係るアッセンブリは、有利には、固定ベルト内に組込み配置された局所コイルが、導電結合により寝台の電子装置に結合されているか、または容量結合によりまたは誘導結合により寝台の電子装置に結合されている。
【００４１】
本発明に係るアッセンブリは、有利には、複数の局所コイルにおいて、該複数の局所コイルの各結合部が同様に形成されている。
【００４２】
本発明に係るアッセンブリは、有利には、診断に必要でない局所コイルが離調されている。
【００４３】
本発明に係るアッセンブリは、有利には、固定ベルトに組み込まれた局所コイルが、同じ幅を有している。
【００４４】
本発明に係るアッセンブリは、有利には、内部に組込み配置された局所コイルを備えた固定ベルトが、フレキシブルで曲げ易く形成されている。
【００４５】
本発明に係るアッセンブリは、有利には、固定ベルトが、寝台に機械的および／または電気的に結合されている。
【００４６】
本発明に係るアッセンブリは、有利には、固定ベルトが、寝台の側方で機械的および／または電気的に差し込まれている。
【００４７】
本発明に係るアッセンブリは、有利には、組み込まれた局所コイルを備えた固定ベルトが、寝台に患者を位置固定するためにも形成されている。
【００４８】
本発明に係るアッセンブリは、有利には、組み込まれた局所コイルを備えた固定ベルトが、患者身体への局所コイルの適合を可能にするために少なくとも部分的にオーバーラップするように形成されている。
【００４９】
本発明に係るアッセンブリは、有利には、固定ベルトが、局所コイルの適合のためおよび／または寝台に患者を位置固定するために面ファスナを有している。
【００５０】
本発明に係るアッセンブリは、有利には、局所コイルエレメントの分離のために、予め規定された構造が面ファスナに設けられており、前記構造が、固定ベルトを漸進的に緩めるかまたは固定するために形成されている。
【００５１】
本発明に係るアッセンブリは、有利には、予め規定された構造が、面ファスナにおける予め規定された構造が、係止体の形状で形成されている。
【００５２】
本発明に係るアッセンブリは、有利には、局所コイルが上側コイルとして形成されている。
【００５３】
本発明に係るアッセンブリは、有利には、固定ベルト内に配置された局所コイルを備えた寝台が、磁気共鳴装置に分離可能に結合されている。
【００５４】
本発明に係るアッセンブリは、有利には、患者の特定の身体領域において、固定ベルトが自己支持性で剛性に形成された局所コイルと交換可能である。
【発明を実施するための最良の形態】
【００５５】
以下に、本発明を実施するための最良の形態を図面につき詳しく説明する。
【００５６】
磁気共鳴装置において患者Ｐを寝臥させるための本発明によるアッセンブリにおいては、実施したい磁気共鳴診断のために患者Ｐを収容するための寝台ＬＢと、磁気共鳴診断のための複数の局所コイルＬＳと、固定ベルトＢＧとが使用される。この場合、固定ベルトＢＧは、患者Ｐの上で局所コイルＬＳを位置固定するために形成されている。局所コイルＬＳは少なくとも部分的に固定ベルトＢＧに組込み配置されている。
【００５７】
有利には、局所コイルＬＳはそれぞれ同じ幅Ｂを有している。従って、局所コイルＬＳはそれぞれの長さにおいてのみ異なっている。
【００５８】
局所コイルＬＳが組み込まれている固定ベルトＢＧは、フレキシブルに且つ曲げ易く形成されている。これによって患者Ｐの身体への各局所コイルＬＳの適合が可能になる。
【００５９】
それと同時にここから判るように、局所コイルＬＳが組み込まれている固定ベルトＢＧは、寝台ＬＢにおいて患者Ｐを位置固定するために形成されている。
【００６０】
この場合、固定ベルトＢＧは、有利には面ファスナを有している領域ＵＢにおいてオーバーラップする。これによって固定ベルトＢＧは患者Ｐに適合することができる。
【００６１】
頭部領域ＫＢではフレキシブルに形成された固定ベルトＢＧの代わりに、自己支持性で剛性に形成された局所コイルＫＳを使用することができる。
【００６２】
診断のために使用されてない局所コイルＬＳｘもしくはこれに対応配置された固定ベルトＢＧｘは、磁気開口への患者の進入時に局所コイルＬＳｘもしくは固定ベルトＢＧｘの破損を避けるために閉じられる。
【００６３】
局所コイルＬＳｘもしくは固定ベルトＢＧｘが画像化に寄与しない場合には、達成可能な画像品質をさらに改良するために、局所コイルＬＳｘもしくは固定ベルトＢＧｘは場合によっては離調させることができる。この離調は、たとえば寝台ＬＢに組み込まれた局所コイル電子装置により行われる。
【００６４】
磁気共鳴装置への患者の進入前に監視回路が、フレキシブルな全固定ベルトもしくは局所コイルが患者をおおって閉じられている、ということを保証する。
【００６５】
図２では、寝台ＬＢの横断面が、本発明により形成された固定ベルトＢＧと共に有利な構成で示されている。
【００６６】
組み込まれたコイルを備えた固定ベルトＢＧが「コイルベルト」として、コイルベルトが最大の長さにわたって可能な限り密に患者の身体に適合もしくは密着されているように側方で寝台ＬＢに差し込まれていて、この寝台ＬＢと電気的に結合されている。
【００６７】
この目的のために、差込み領域ＳＢを寝台ＬＢに設けることができる。この差込み領域ＳＢにより、固定ベルトに組み込まれたコイルと寝台との電気的な結合のための種々異なる位置が、対応して形成された差込み結合部を介して可能になる。
【００６８】
従って、種々異なる患者の身体形状への「コイルベルト」の最適な適合を行うことができる。
【図面の簡単な説明】
【００６９】
【図１】患者Ｐが載せられている寝台ＬＢと載せられていない寝台ＬＢとを示した図である。
【図２】本発明により形成された固定ベルトを備えた寝台の横断面図である。
【符号の説明】
【００７０】
Ｂ  幅、  ＢＧ，ＢＧｘ  固定ベルト、  ＫＢ  頭部領域、  ＫＳ，ＬＳ，ＬＳｘ  局所コイル、  ＬＢ  寝台、  Ｐ  患者、  ＳＢ  差込み領域
【図１】
2009011836.tif 000003
【図２】
2009011836.tif 000004